(57)【要約】【課題】プリンタのスペックを考慮した印刷処理を実行する。【解決手段】携帯電話では、印刷処理を実行するデバイスのスペック、具体的には、印刷方式に応じて、印刷処理時の解像度が設定される。つまり、例えば、デバイスがレーザプリンタである場合の解像度は、デバイスがシングルパス方式のインクジェットプリンタである場合の解像度より高い解像度に設定される。また、例えば、デバイスがシングルパス方式のインクジェットプリンタである場合の解像度は、デバイスがスキャン方式のインクジェットプリンタである場合の解像度より高い解像度に設定される。このように、デバイスのスペックに応じて解像度が設定されることで、プリンタのスペックを考慮した印刷処理を実行することができる。【選択図】図６
2020135682.tif 000002
【特許請求の範囲】
【請求項１】
プリンタと通信するための通信インタフェースを備える情報処理装置のコンピュータが読み取り可能な制御プログラムであって、
前記コンピュータを、
前記プリンタのスペックに応じて、印刷処理を実行するための解像度を決定する決定手段として機能させることを特徴とする制御プログラム。
【請求項２】
前記コンピュータを、
前記決定手段により決定された解像度を、印刷対象の画像の領域毎に変更する変更手段として機能させることを特徴とする請求項１に記載の制御プログラム。
【請求項３】
印刷対象の画像の種類が、ユーザ操作により設定されるように構成されており、
前記変更手段は、
前記印刷対象の画像の種類に応じて、前記決定手段により決定された解像度を当該画像の領域毎に変更することを特徴とする請求項２に記載の制御プログラム。
【請求項４】
印刷対象の画像の種類が、当該画像の特徴により判断されるように構成されており、
前記変更手段は、
前記印刷対象の画像の種類に応じて、前記決定手段により決定された解像度を当該画像の領域毎に変更することを特徴とする請求項２に記載の制御プログラム。
【請求項５】
前記決定手段は、
前記プリンタに前記通信インタフェースを介して送信される印刷用画像データの解像度と、前記プリンタにより印刷される画像の解像度との少なくとも一方を、印刷処理を実行するための解像度として決定することを特徴とする請求項１乃至４の何れか１項に記載の制御プログラム。
【請求項６】
前記決定手段は、
印刷対象の画像を示す画像データの解像度である実データ解像度が、前記決定手段により前記プリンタのスペックに応じて決定された解像度であるスペック対応解像度より低い場合に、前記実データ解像度に合わせて、前記スペック対応解像度より低い解像度を、印刷処理を実行するための解像度として決定することを特徴とする請求項１乃至５の何れか１項に記載の制御プログラム。
【請求項７】
前記決定手段は、
ユーザ設定により設定された設定解像度を基準として、前記プリンタのスペックに応じて、印刷処理を実行するための解像度を決定することを特徴とする請求項１乃至６の何れか１項に記載の制御プログラム。
【請求項８】
前記決定手段は、
前記情報処理装置のメモリ残量が少ない場合に、前記メモリ残量に合わせて、前記決定手段により前記プリンタのスペックに応じて決定された解像度であるスペック対応解像度より低い解像度を、印刷処理を実行するための解像度として決定することを特徴とする請求項１乃至７の何れか１項に記載の制御プログラム。
【請求項９】
前記通信インタフェースは、複数のプリンタと通信可能であり、
前記コンピュータを、
前記複数のプリンタのうちの任意のプリンタの選択を受け付ける受付手段として機能させ、
前記決定手段は、
前記受付手段により受け付けられたプリンタである選択プリンタのスペックに応じて、印刷処理を実行するための当該選択プリンタの解像度を決定することを特徴とする請求項１乃至８の何れか１項に記載の制御プログラム。
【発明の詳細な説明】
【技術分野】
【０００１】
本発明は、プリンタと通信するための通信インタフェースを備える情報処理装置のコンピュータが読み取り可能な制御プログラムに関する。
【背景技術】
【０００２】
下記特許文献には、印刷対象の画像の各ページのオブジェクトに応じて解像度を決定する技術が記載されている。
【先行技術文献】
【特許文献】
【０００３】
【特許文献１】特開平１０−１０５３４８号公報
【発明の概要】
【発明が解決しようとする課題】
【０００４】
上記特許文献に記載の技術によれば、オブジェクト毎に最適な解像度で印刷することができるが、プリンタのスペック等は、一切、考慮されていない。そこで、本発明は、プリンタのスペックを考慮した印刷処理を実行することを課題とする。
【課題を解決するための手段】
【０００５】
上記課題を解決するために、本発明の制御プログラムは、プリンタと通信するための通信インタフェースを備える情報処理装置のコンピュータが読み取り可能な制御プログラムであって、前記コンピュータを、前記プリンタのスペックに応じて、印刷処理を実行するための解像度を決定する決定手段として機能させることを特徴とする。
【０００６】
本明細書の実施形態として記載の制御プログラムでは、プリンタのスペックに応じて、印刷処理を実行するための解像度が決定される。これにより、プリンタのスペックを考慮した印刷処理を実行することができる。
【図面の簡単な説明】
【０００７】
【図１】通信システム１のブロック図である。
【図２】トップ画面１００を示す図である。
【図３】画像種選択画面１１０を示す図である。
【図４】プレビュー画面１２０を示す図である。
【図５】設定画面１３０を示す図である。
【図６】テーブル１４０を示す図である。
【図７】ファックス処理選択画面１５０を示す図である。
【図８】ファックス画像選択画面１６０を示す図である。
【図９】プレビュー画面１７０を示す図である。
【図１０】プレビュー画面１７０を示す図である。
【図１１】制御アプリケーション３０のフローチャートを示す図である。
【図１２】制御アプリケーション３０のフローチャートを示す図である。
【図１３】制御アプリケーション３０のフローチャートを示す図である。
【図１４】画像１８０を示す図である。
【発明を実施するための形態】
【０００８】
図１に、本願に係る実施形態として例示される通信システム１のブロック図を示す。通信システム１は、携帯電話（情報処理装置の一例）１０、ＭＦＰ（プリンタの一例）５０，５２，５４、アクセスポイント５６、基地局６０を備える。ＭＦＰ５０，５２，５４は、印刷処理，スキャン処理，ファックスの送受信処理等の各種処理を実行可能な装置である。なお、ＭＦＰ５０での印刷処理は、ＭＦＰ５０に内蔵されているレーザプリンタにより実行され、ＭＦＰ５２，５４での印刷処理は、ＭＦＰ５２，５４に内蔵されているインクジェットプリンタにより実行される。また、ＭＦＰ５２に内蔵されているインクジェットプリンタは、スキャン方式のプリンタであり、ＭＦＰ５４に内蔵されているインクジェットプリンタは、シングルパス方式のプリンタである。ちなみに、スキャン方式のプリンタでは、印刷用紙が主走査方向に搬送されるとともに、インクジェットヘッドが副走査方向に移動することで、印刷用紙に画像が印刷される。一方、シングルパス方式のプリンタでは、印刷用紙が主走査方向に搬送されるが、インクジェットヘッドは固定された状態で、印刷用紙に画像が印刷される。
【０００９】
携帯電話１０は、ＣＰＵ（コンピュータの一例）１２、記憶部１４、無線通信Ｉ／Ｆ（通信インタフェースの一例）１６、携帯電話通信Ｉ／Ｆ１８、ＬＣＤ２０、タッチパネル２２を主に備えている。これらの構成要素は、バス２８を介して互いに通信可能とされている。
【００１０】
無線通信Ｉ／Ｆ１６は、ＩＥＥＥの８０２．１１の規格およびそれに準ずる規格に基づいて、Ｗｉ-Ｆｉ(R)（Wi-Fi Allianceの登録商標）方式（ＷＦ方式と略して記載する場合もある）の無線通信を行うことが可能とされている。すなわち、携帯電話１０は、アクセスポイント５６へアクセスし、ＷＦ方式の無線通信を行える状態になれば、アクセスポイント５６を介して、ＭＦＰ５０，５２，５４とデータ通信することが可能になる。
【００１１】
携帯電話通信Ｉ／Ｆ１８は、基地局６０との間で携帯電話通信方式の無線通信を行うことが可能とされている。すなわち、携帯電話１０は、携帯電話通信方式の無線通信を行える状態になれば、基地局６０を介して、データ通信することが可能になる。
【００１２】
ＣＰＵ１２は、記憶部１４内の制御アプリケーション（制御プログラムの一例）３０、ＯＳ３１に従って処理を実行する。制御アプリケーション３０は、携帯電話１０を用いてＭＦＰ５０，５２，５４に各種処理を実行させるためのプログラムである。また、ＯＳ３１は、制御アプリケーション３０に利用される基本的な機能を提供するプログラムである。なお、制御アプリケーション３０等を実行するＣＰＵ１２のことを、単にプログラム名でも記載する場合がある。例えば、「制御アプリケーション３０が」という記載は、「制御アプリケーション３０を実行するＣＰＵ１２が」ということを意味する場合がある。
【００１３】
また、記憶部１４は、データ記憶領域３２を備える。データ記憶領域３２は、制御アプリケーション３０の実行に必要なデータなどを記憶する領域である。なお、記憶部１４は、ＲＡＭ、ＲＯＭ、フラッシュメモリー、ＨＤＤ、ＣＰＵ１２が備えるバッファなどが組み合わされて構成されている。
【００１４】
記憶部１４は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００１５】
ＬＣＤ２０は、携帯電話１０の各種機能を表示する表示面を備える。タッチパネル２２は、タッチセンサを有し、ＬＣＤ２０の表示面を覆うように配置されている。タッチパネル２２は、ユーザの指、タッチペン等のタッチパネル２２への接近・接触を検出し、検出に応じて電気信号を出力する。
【００１６】
なお、本明細書では、主に、プログラムに記述された命令に従ったＣＰＵ１２の処理を示す。すなわち、以下の説明における「判断」、「抽出」、「選択」、「算出」、「決定」、「特定」、「取得」、「受付」、「制御」等の処理は、ＣＰＵ１２の処理を表している。ＣＰＵ１２による処理は、ＯＳ３１を介したハードウェア制御も含む。なお「取得」は要求を必須とはしない概念で用いる。すなわち、ＣＰＵ１２が要求することなくデータを受信するという処理も、「ＣＰＵ１２がデータを取得する」という概念に含まれる。また、本明細書中の「データ」とは、コンピュータに読取可能なビット列で表される。そして、実質的な意味内容が同じでフォーマットが異なるデータは、同一のデータとして扱われるものとする。本明細書中の「情報」についても同様である。また、「命令」「応答」「要求」等の処理は、「命令」「応答」「要求」等を示す情報を通信することにより行われる。また、「設定」等の処理は、入力された設定情報をメモリに記憶することで行われる。
【００１７】
上述した構成により、通信システム１では、携帯電話１０からの指令に従ってＭＦＰ５０，５２，５４により印刷処理が実行される。なお、ＭＦＰ５０，５２，５４により印刷処理が実行される際の解像度は、ＭＦＰ５０，５２，５４に内蔵されているプリンタのスペックに応じて決定される。また、印刷対象の原稿のページ毎に、印刷処理が実行される際の解像度が変更される。
【００１８】
詳しくは、携帯電話１０において、制御アプリケーション３０の実行により、ＬＣＤ２０に、図２に示すトップ画面１００が表示される。トップ画面１００には、デバイス選択ボタン１０２が表示される。デバイス選択ボタン１０２は、携帯電話１０を用いて各種処理を実行するためのデバイスを選択するためのボタンであり、デバイス選択ボタン１０２が操作されることで、制御アプリケーション３０は、ＬＣＤ２０にデバイス選択画面（図示省略）を表示する。
【００１９】
デバイス選択画面には、携帯電話１０と通信可能なデバイスのデバイス名が選択可能な状態で表示される。携帯電話１０では、３台のＭＦＰ５０，５２，５４と通信可能であるため、デバイス選択画面では、３台のＭＦＰ５０，５２，５４のデバイス名が選択可能な状態で表示される。そして、デバイス選択画面において、３台のＭＦＰ５０，５２，５４のデバイス名のうちの任意のデバイス名が選択されると、制御アプリケーション３０は、ＬＣＤ２０にトップ画面１００を表示する。この際、トップ画面１００のデバイス選択ボタン１０２には、デバイス選択画面で選択されたデバイス（以下、「選択デバイス」と記載する）のデバイス名が表示される。
【００２０】
また、デバイス選択ボタン１０２の上方には、選択デバイスで実行可能な各種処理を実行するための複数の実行ボタン１０４が表示される。それら複数の実行ボタン１０４は、選択デバイスにより印刷処理を実行するための第１実行ボタン１０４ａ、選択デバイスでのファックスに関する処理を実行するための第２実行ボタン１０４ｂ等により構成されている。そして、第１実行ボタン１０４ａが操作されることで、制御アプリケーション３０は、図３に示す画像種選択画面１１０をＬＣＤ２０に表示する。画像種選択画面１１０は、印刷対象の画像の種類を選択するための画面であり、画像種選択画面１１０には、印刷対象の画像の種類として、写真を選択するための選択ボタン１１２ａ、文書を選択するための選択ボタン１１２ｂ等が表示される。
【００２１】
その画像種選択画面１１０において、選択ボタン１１２ａ，１１２ｂ等が操作されると、制御アプリケーション３０は、操作されたボタンに応じた種類の画像をＬＣＤ２０に表示する。そして、制御アプリケーション３０は、画像種選択画面１１０において操作されたボタンに応じた画像の種類（以下、「選択画像種」と記載する）をデータ記憶領域３２に記憶する。つまり、例えば、選択ボタン１１２ｂが操作されると、制御アプリケーション３０は、図４に示すプレビュー画面１２０をＬＣＤ２０に表示する。そのプレビュー画面１２０には、文書のプレビュー画像１２２が表示されている。また、制御アプリケーション３０は、選択ボタン１１２ｂが操作されたことに応じて、選択画像種として、文書の画像を示す情報をデータ記憶領域３２に記憶する。
【００２２】
なお、図４のプレビュー画面１２０には、５枚のプレビュー画像１２２が表示されている。そして、それら５枚のプレビュー画像１２２の各々に、チェック欄１２４が表示されており、各チェック欄１２４へのユーザ操作により、印刷対象の画像として、チェックされたプレビュー画像１２２が選択される。なお、５枚のプレビュー画像１２２が、印刷対象の画像として選択された場合に、それら５枚のプレビュー画像１２２は、５枚の印刷用紙に印刷され、５ページ分の原稿となる。ちなみに、左上のプレビュー画像１２２ａは、１ページ目の原稿に印刷され、右上のプレビュー画像１２２ｂは、２ページ目の原稿に印刷され、左下のプレビュー画像１２２ｃは、３ページ目の原稿に印刷され、中央下のプレビュー画像１２２ｄは、４ページ目の原稿に印刷され、右下のプレビュー画像１２２ｅは、５ページ目の原稿に印刷される。
【００２３】
また、プレビュー画面１２０には、設定ボタン１２６も表示されており、設定ボタン１２６が操作されることで、制御アプリケーション３０は、図５に示す設定画面１３０をＬＣＤ２０に表示する。設定画面１３０には、印刷用紙のサイズを設定するための設定ボタン１３２ａ、印刷部数を設定するための設定ボタン１３２ｂ、印刷処理を実行するための解像度を設定するための設定ボタン１３２ｃ等が表示される。そして、各種設定ボタン１３２へのユーザ操作により印刷設定が行われると、その印刷設定に関する情報がデータ記憶領域３２に記憶される。なお、設定ボタン１３２ｃへのユーザ操作により、Ｆｉｎｅ，Ｎｏｒｍａｌ，Ｆａｓｔの何れかが選択され、選択されたものに応じた解像度が設定される。ちなみに、Ｆｉｎｅは高解像度を示す選択肢であり、Ｆａｓｔは低解像度を示す選択肢であり、Ｎｏｒｍａｌは通常の解像度を示す選択肢である。
【００２４】
また、プレビュー画面１２０には、図４に示すように、印刷ボタン１２８も表示されている。そして、印刷ボタン１２８が操作されることで、制御アプリケーション３０は、選択デバイスに内蔵されているプリンタのスペックに応じて、基準となる解像度（以下、「基準解像度」と記載する）（スペック対応解像度の一例）を決定する。詳しくは、データ記憶領域３２には、図６に示すテーブル１４０が記憶されている。そのテーブル１４０は、基準解像度を決定するためのものであり、そのテーブル１４０では、スペック情報と選択画像種と設定解像度とに応じて、基準解像度が設定されている。
【００２５】
スペック情報は、選択デバイスに内蔵されているプリンタのスペックを示す情報であり、レーザプリンタであることを示す情報と、シングルパス方式のインクジェットプリンタであることを示す情報と、スキャン方式のインクジェットプリンタであることを示す情報とにより構成される。なお、携帯電話１０と通信可能なデバイス、つまり、ＭＦＰ５０，５２，５４のスペック情報が、データ記憶領域３２に記憶されており、制御アプリケーション３０は、選択デバイスのスペック情報をデータ記憶領域３２から取得する。つまり、制御アプリケーション３０は、選択デバイスがＭＦＰ５０である場合に、レーザプリンタであることを示す情報を、スペック情報として取得し、選択デバイスがＭＦＰ５２である場合に、スキャン方式のインクジェットプリンタであることを示す情報を、スペック情報として取得し、選択デバイスがＭＦＰ５４である場合に、シングルパス方式のインクジェットプリンタであることを示す情報を、スペック情報として取得する。また、ＭＦＰ５０，５２，５４のスペック情報がデータ記憶領域３２に記憶されていない場合もあり、このような場合には、制御アプリケーション３０が、選択デバイスが選択された後に、選択デバイスと通信を行って、選択デバイスからスペック情報を取得する。
【００２６】
また、選択画像種は、上述したように、印刷対象の画像の種類を示す情報として、画像種選択画面１１０において操作されたボタンの種類に応じて記憶されている。このため、制御アプリケーション３０は、データ記憶領域３２から選択画像種を取得する。また、設定解像度は、設定画面１３０において設定ボタン１３２ｃへの操作により設定された解像度であり、Ｆｉｎｅ，Ｎｏｒｍａｌ，Ｆａｓｔのうちの何れかに応じた解像度である。なお、設定画面１３０での設定ボタン１３２へのユーザ操作による印刷設定に関する情報は、上述したように、データ記憶領域３２に記憶されているため、制御アプリケーション３０は、その情報に基づいて、設定解像度を特定する。
【００２７】
そして、制御アプリケーション３０は、スペック情報と選択画像種と設定解像度とに基づいて、テーブル１４０を利用して基準解像度を決定する。なお、基準解像度は、入力解像度と出力解像度とにより構成されている。入力解像度は、選択デバイスに入力される画像データ、つまり、印刷対象の画像を示す印刷用画像データの解像度である。また、出力解像度は、選択デバイスが出力する画像、つまり、印刷用紙に印刷される画像の解像度である。
【００２８】
そして、基準解像度の決定に用いられるテーブル１４０では、スペック情報がレーザプリンタであることを示す場合に、スペック情報がシングルパス方式のインクジェットプリンタであることを示す場合と比較して、基準解像度は高く設定されており、スペック情報がシングルパス方式のインクジェットプリンタであることを示す場合に、スペック情報がスキャン方式のインクジェットプリンタであることを示す場合と比較して、基準解像度は高く設定されている。つまり、スペック情報がレーザプリンタであることを示す場合、シングルパス方式のインクジェットプリンタであることを示す場合、スキャン方式のインクジェットプリンタであることを示す場合の順に、基準解像度は低くされている。ただし、スペック情報に応じて、基準解像度の出力解像度は異なる数値に設定されているが、基準解像度の入力解像度は同じ数値に設定されている。これは、スペック情報により示されるプリンタのスペックにより印刷用紙に画像が印刷される際の印刷時間に起因している。
【００２９】
詳しくは、レーザプリンタでは、感光体ドラムへのレーザ照射により、潜像が形成され、その潜像が形成された感光体ドラムにトナーが付着される。そして、印刷用紙に、感光体ドラムに付着したトナーが転写されることで、印刷用紙に画像が印刷される。このため、出力解像度が高いほど、潜像が緻密になるが、潜像の形成時間は、出力解像度の影響を受け難い。つまり、レーザプリンタでは、出力解像度が高くなっても、印刷時間は然程長くならない。一方、インクジェットプリンタでは、ノズルからインクが吐出され、印刷用紙に画像が印刷される。このため、出力解像度が高いほど、ノズルからのインクの吐出回数が増加するため、印刷時間は、出力解像度の影響を受け易く、インクジェットプリンタでは、出力解像度が高くなるほど、印刷時間は長くなる。このようなことに鑑みて、テーブル１４０では、スペック情報がインクジェットプリンタであることを示す場合に、レーザプリンタであることを示す場合と比較して、出力解像度が低く設定されている。つまり、テーブル１４０では、スペック情報がレーザプリンタであることを示す場合に、インクジェットプリンタであることを示す場合と比較して、出力解像度が高く設定されている。
【００３０】
また、インクジェットプリンタにおいて、スキャン方式のプリンタでは、印刷用紙が主走査方向に搬送されるとともに、インクジェットヘッドが副走査方向に移動することで、印刷用紙に画像が印刷される。一方、シングルパス方式のプリンタでは、印刷用紙が主走査方向に搬送されるが、インクジェットヘッドは固定された状態で、印刷用紙に画像が印刷される。このため、副走査方向へのインクジェットヘッドの移動を考慮すると、ノズルからのインクの吐出回数の増加するほど、つまり、出力解像度が高くなるほど、印刷時間は、スキャン方式のプリンタにおいて、シングルパス方式のプリンタより長くなる。このため、テーブル１４０では、スペック情報がスキャン方式のインクジェットプリンタであることを示す場合に、シングルパス方式のインクジェットプリンタであることを示す場合と比較して、出力解像度が低く設定されている。つまり、スペック情報がシングルパス方式のインクジェットプリンタであることを示す場合に、スキャン方式のインクジェットプリンタであることを示す場合と比較して、出力解像度が高く設定されている。
【００３１】
なお。入力解像度が相違しても、レーザプリンタとスキャン方式のインクジェットプリンタとシングルパス方式のインクジェットヘッドとにおいて、印刷時間は然程変わらない。このため、スペック情報がレーザプリンタであることを示す場合と、スキャン方式のインクジェットプリンタであることを示す場合と、シングルパス方式のインクジェットプリンタであることを示す場合とで、入力解像度は同じに設定されている。
【００３２】
また、テーブル１４０では、選択画像種が写真である場合に、選択画像種が文書である場合と比較して、入力解像度と出力解像度との両方の基準解像度が高く設定されている。また、設定解像度が「Ｆｉｎｅ」である場合に、設定解像度が「Ｎｏｒｍａｌ」である場合と比較して、入力解像度と出力解像度との両方の基準解像度が高く設定されており、設定解像度が「Ｎｏｒｍａｌ」である場合に、設定解像度が「Ｆａｓｔ」である場合と比較して、入力解像度と出力解像度との両方の基準解像度が高く設定されている。
【００３３】
このように設定されたテーブル１４０を利用して、制御アプリケーション３０は、スペック情報と選択画像種と設定解像度とに基づいて基準解像度を決定する。つまり、例えば、スペック情報がレーザプリンタを示し、選択画像種が写真を示し、設定解像度がＦｉｎｅである場合に、基準解像度が「６００ｄｐｉ／１２００ｄｐｉ」に決定される。また、例えば、スペック情報がシングルパス方式のインクジェットプリンタを示し、選択画像種が文書を示し、設定解像度がＦａｓｔである場合に、基準解像度が「１００ｄｐｉ／１５０ｄｐｉ」に決定される。
【００３４】
ただし、印刷対象の画像を示す画像データの解像度（以下、「実データ解像度」と記載する）が、基準解像度より低い場合には、実データ解像度の画像データに基づいて、基準解像度の印刷用画像データを作成することはできない。つまり、例えば、実データ解像度が２００ｄｐｉであり、基準解像度の入力解像度が４００ｄｐｉに設定された場合には、２００ｄｐｉの画像データに基づいて、４００ｄｐｉの印刷用画像データを作成することはできない。このため、実データ解像度が基準解像度の入力解像度より低い場合に、制御アプリケーション３０は、実データ解像度に合わせて、基準解像度の入力解像度を低下させる。具体的には、実データ解像度が基準解像度の入力解像度より低い場合に、制御アプリケーション３０は、基準解像度の入力解像度を、実データ解像度に再設定する。つまり、例えば、基準解像度の入力解像度が４００ｄｐｉに設定されている場合に、実データ解像度が２００ｄｐｉであれば、制御アプリケーション３０は、基準解像度の入力解像度を２００ｄｐｉに再設定する。なお、基準解像度の出力解像度は、低下されず、そのまま用いられる。つまり、テーブル１４０を利用して基準解像度が「４００ｄｐｉ／４００ｄｐｉ」に設定された場合に、実データ解像度が２００ｄｐｉであれば、基準解像度が「２００ｄｐｉ／４００ｄｐｉ」に再設定される。
【００３５】
また、携帯電話１０のデータ記憶領域３２におけるメモリ残量が少ない場合に、印刷用画像データを作成する際に、高解像度の画像データをデータ記憶領域３２において展開できない場合がある。このため、メモリ残量が予め設定された設定残量より少ない場合に、制御アプリケーション３０は、メモリ残量に合わせて、基準解像度の入力解像度を低下させる。なお、基準解像度の出力解像度は、低下されず、そのまま用いられる。つまり、テーブル１４０を利用して基準解像度が「４００ｄｐｉ／４００ｄｐｉ」に設定された場合に、メモリ残量が設定残量より少なければ、例えば、基準解像度が「２００ｄｐｉ／４００ｄｐｉ」に再設定される。
【００３６】
また、制御アプリケーション３０は、テーブル１４０に基づいて設定された基準解像度、若しくは、再設定された基準解像度を基準として、印刷対象の画像のページ毎に、印刷処理が実行される際の解像度を変更する。具体的には、例えば、印刷対象の画像が文書である場合には、一般的に、１ページ目の原稿は表紙として用いられることが多く、表紙に印刷される画像の量、つまり、印字数は、比較的少ない。このため、１ページ目の原稿に印刷される画像が、低い解像度で印刷されても影響は少ない。そこで、制御アプリケーション３０は、印刷対象の画像が文書である場合に、１ページ目の原稿に印刷される画像の解像度を、基準解像度より低い解像度に設定する。つまり、例えば、基準解像度が「３００ｄｐｉ／６００ｄｐｉ」に決定された場合に、１ページ目の原稿に印刷される画像の解像度は「３００ｄｐｉ／６００ｄｐｉ」より低い解像度に設定される。この際、入力解像度と出力解像度との少なくとも一方が低くされればよい。つまり、１ページ目の原稿に印刷される画像の解像度は、例えば、「３００ｄｐｉ／３００ｄｐｉ」、若しくは、「２００ｄｐｉ／６００ｄｐｉ」、若しくは、「２００ｄｐｉ／３００ｄｐｉ」に設定される。なお、印刷対象の画像が文書であるか否かの判断は、データ記憶領域３２に記憶された選択画像種に基づいて行われる。ただし、印刷用画像データの選択デバイスへの通信時間を考慮した場合に、印刷用画像データのデータ量を少なくするべく、少なくとも入力解像度を低くすることが好ましい。
【００３７】
また、印刷用紙に印刷される画像が写真である場合において、その画像は、印刷用紙に印刷される画像が文書である場合と比較して、鮮明であることが望まれる。このため、写真が印刷される際の解像度は、文書が印刷される際の解像度より高いことが望まれる。つまり、逆に言えば、文書が印刷される際の解像度は、写真が印刷される際の解像度より低くすることができる。また、印刷用紙にイラストが印刷された場合の画像の鮮明さは、印刷用紙に写真が印刷された場合の画像の鮮明さと、印刷用紙に文書が印刷された場合の画像の鮮明さとの間ぐらいが望まれる。このため、イラストが印刷される際の解像度は、写真が印刷される際の解像度と、文書が印刷される際の解像度との間の解像度に設定することができる。つまり、写真が印刷される際の解像度、イラストが印刷される際の解像度、文書が印刷される際の解像度の順に、解像度は低くされる。
【００３８】
そこで、印刷対象の画像の種類がページ毎に分析され、分析結果に応じて、ページ毎の解像度が設定される。具体的には、携帯電話１０では、ＯＳ３１により機械学習ＡＰＩが提供される。この機械学習ＡＰＩは、サンプル画像に基づいて、対象の画像の種類を判定する。このため、制御アプリケーション３０は、サンプル画像の画像データと、印刷対象の画像のページ毎の画像データとを、ＯＳ３１に出力する。サンプル画像の画像データは、写真の画像データと、イラストの画像データと、文書の画像データとを含んでおり、機械学習ＡＰＩは、各サンプル画像の画像データに基づいて、色の変化，色密度，配列パターン等を分析する。また、機械学習ＡＰＩは、印刷対象の画像のページ毎の画像データに基づいて、色の変化，色密度，配列パターン等を分析する。そして、機械学習ＡＰＩは、印刷対象の画像のページ毎の画像データが、サンプル画像の写真とイラストと文書との何れの画像データと近似しているかを判断する。この際、機械学習ＡＰＩは、印刷対象の画像のページ毎の種類を、近似しているサンプル画像の写真とイラストと文書との何れかに決定する。そして、機械学習ＡＰＩにより印刷対象の画像のページ毎の種類が決定されると、ＯＳ３１は、その結果を制御アプリケーション３０に出力する。
【００３９】
制御アプリケーション３０は、ＯＳ３１から機械学習ＡＰＩによる分析結果を取得すると、分析結果に応じて、ページ毎の解像度を設定する。例えば、図４に示す４枚のプレビュー画像１２２が印刷対象の画像である場合において、まず、それら４枚のプレビュー画像１２２は、先に説明したように、画像種選択画面１１０での文書を選択するための選択ボタン１１２ｂへの操作により表示される。つまり、それら４枚のプレビュー画像１２２は、文書であり、印刷対象の画像が文書である場合に、１ページ目の原稿に印刷される画像の解像度は、基準解像度より低い解像度に設定される。このため、制御アプリケーション３０は、プレビュー画像１２２ａの解像度を、基準解像度より低い解像度に設定する。
【００４０】
また、プレビュー画像１２２ｂ及びプレビュー画像１２２ｄの種類は、機械学習ＡＰＩにより文書であると判断され、プレビュー画像１２２ｃの種類は、機械学習ＡＰＩにより写真であると判断され、プレビュー画像１２２ｅの種類は、機械学習ＡＰＩによりイラストであると判断される。このため、プレビュー画像１２２ｃの解像度は、プレビュー画像１２２ｅの解像度より高く設定され、プレビュー画像１２２ｅの解像度は、プレビュー画像１２２ｂ及びプレビュー画像１２２ｄの解像度より高く設定される。そこで、制御アプリケーション３０は、プレビュー画像１２２ｃの解像度を、基準解像度に設定し、プレビュー画像１２２ｅの解像度を、基準解像度より低い解像度に設定する。さらに、制御アプリケーション３０は、プレビュー画像１２２ｂ及びプレビュー画像１２２ｄの解像度を、プレビュー画像１２２ｅの解像度より低い解像度に設定する。
【００４１】
なお、上述したように、プレビュー画像１２２ｃの解像度は、基準解像度に設定され、プレビュー画像１２２ａ，１２２ｂ，１２２ｄ，１２２ｅの解像度は、基準解像度より低い解像度に設定されるが、基準解像度より低い解像度に設定される際の解像度の低減率は、適宜設定されている。例えば、１ページ目の原稿に印刷される画像の解像度は、基準解像度の１／３程度に低減され、イラストの画像印刷時の解像度は、基準解像度の２／３程度に低減され、文書の画像印刷時の解像度は、基準解像度の１／２程度に低減されるように、設定されている。
【００４２】
そして、ページ毎の解像度が設定されると、制御アプリケーション３０は、設定された解像度に応じた印刷用画像データを作成し、作成した印刷用画像データを選択デバイスに送信する。つまり、制御アプリケーション３０は、設定された解像度のうちの入力解像度に基づいて印刷用画像データを作成する。そして、制御アプリケーション３０は、作成した印刷用画像データ及び、設定された解像度のうちの出力解像度での印刷指示を選択デバイスに送信する。具体的には、例えば、Ｘページ目の画像の解像度が、例えば、「２００ｄｐｉ／４００ｄｐｉ」に設定された場合に、制御アプリケーション３０は、２００ｄｐｉの印刷用画像データを作成し、その２００ｄｐｉの印刷用画像データ及び、４００ｄｐｉでの印刷指示を選択デバイスに送信する。これにより、選択デバイスにおいて、２００ｄｐｉの印刷用画像データに基づいて、４００ｄｐｉの画像が印刷用紙に印刷される。
【００４３】
このように、携帯電話１０において印刷用画像データを作成し、その印刷用画像データに基づく画像の印刷処理を、選択デバイスにより実行させることができる。また、携帯電話１０では、選択デバイスでのファックスに関する処理も実行することができる。詳しくは、図２に示すトップ画面１００において、第２実行ボタン１０４ｂが操作されると、制御アプリケーション３０は、図７に示すファックス処理選択画面１５０をＬＣＤ２０に表示する。なお、第２実行ボタン１０４ｂが操作されると、制御アプリケーション３０は、選択画像種として、ファックスの画像を示す情報をデータ記憶領域３２に記憶する。これは、第２実行ボタン１０４ｂへの操作により、ファックスに関する処理が実行されるためである。
【００４４】
第２実行ボタン１０４ｂへの操作により表示されたファックス処理選択画面１５０には、ファックスの送信処理を選択するための選択ボタン１５２ａと、ファックス画像のプレビュー処理を選択するための選択ボタン１５２ｂとが表示される。そして、選択ボタン１５２ｂが操作されることで、制御アプリケーション３０は、図８に示すファックス画像選択画面１６０をＬＣＤ２０に表示する。また、制御アプリケーション３０は、選択ボタン１５２ｂへの操作に応じて、選択デバイスから、選択デバイスが受信したファックスに関する情報を取得する。このファックスに関する情報には、ファックスの受信日時が含まれている。そして、制御アプリケーション３０は、ファックスに関する情報に含まれるファックスの受信日時を、ファックス画像選択画面１６０に選択ボタン１６２として表示する。
【００４５】
このファックス画像選択画面１６０において、任意の選択ボタン１６２が操作されると、制御アプリケーション３０は、操作された選択ボタン１６２に応じた日時に選択デバイスが受信したファックスの画像データを、選択デバイスから取得する。そして、制御アプリケーション３０は、図９に示すプレビュー画面１７０を表示する。プレビュー画面１７０には、選択デバイスから取得したファックスの画像データに基づくプレビュー画像１７２が表示される。また、プレビュー画面１７０には、遷移ボタン１７４も表示されており、遷移ボタン１７４が操作されることで、図１０に示すように、プレビュー画面１７０に設定ボタン１７６および印刷ボタン１７８が表示される。
【００４６】
そして、設定ボタン１７６が操作されることで、制御アプリケーション３０は、図５に示す設定画面１３０をＬＣＤ２０に表示する。この設定画面１３０では、上述したように、各種設定ボタン１３２へのユーザ操作により印刷設定が行われる。また、各種設定ボタン１３２へのユーザ操作により印刷設定が行われると、その印刷設定に関する情報がデータ記憶領域３２に記憶される。また、プレビュー画面１７０において印刷ボタン１７８が操作されると、制御アプリケーション３０は、選択デバイスのスペック情報と、選択画像種と、設定解像度とに基づいて、テーブル１４０を利用して、基準解像度を決定する。なお、ここでの基準解像度の決定手法は、先に説明した基準解像度の決定手法と同じである。ただし、選択画像種は、トップ画面１００での第２実行ボタン１０４ｂへの操作により、ファックスの画像を示す情報とされている。このため、テーブル１４０を用いて基準解像度が決定される際に、選択画像種として、ファックスを示す情報が用いられる。
【００４７】
また、基準解像度が決定されると、制御アプリケーション３０は、その基準解像度を基準として、印刷対象のファックスのページ毎に、印刷処理が実行される際の解像度を変更する。具体的には、印刷対象の画像がファックスである場合には、一般的に、１ページ目の原稿は送り状として用いられることが多く、送り状に印刷される画像の量、つまり、印字数は、比較的少ない。このため、１ページ目の原稿に印刷される画像が、低い解像度で印刷されても影響は少ない。そこで、制御アプリケーション３０は、印刷対象の画像がファックスである場合に、印刷対象の画像が文書である場合と同様に、１ページ目の原稿に印刷される画像の解像度を、基準解像度より低い解像度に設定する。
【００４８】
また、２ページ目以降の原稿に印刷されるファックスの画像に関しても、先に説明した機械学習ＡＰＩを用いて、ページ毎の画像が分析され、分析結果に応じて、ページ毎の解像度が設定される。つまり、制御アプリケーション３０は、画像の種類が写真であると判断されたページの解像度を、基準解像度に設定し、画像の種類がイラストであると判断されたページの解像度を、基準解像度より低い解像度に設定する。さらに、制御アプリケーション３０は、画像の種類が文書であると判断されたページの解像度を、画像の種類がイラストであると判断されたページの解像度より低い解像度に設定する。
【００４９】
そして、ページ毎の解像度が設定されると、制御アプリケーション３０は、設定された解像度に応じた印刷用画像データを作成し、作成した印刷用画像データを選択デバイスに送信する。つまり、制御アプリケーション３０は、設定された解像度のうちの入力解像度に基づいて印刷用画像データを作成する。そして、制御アプリケーション３０は、作成した印刷用画像データ及び、設定された解像度のうちの出力解像度での印刷指示を選択デバイスに送信する。これにより、選択デバイスが受信したファックスを携帯電話１０により確認した後に、必要なファックスのみを選択デバイスにおいて印刷することができる。
【００５０】
次に、携帯電話１０のＣＰＵ１２において制御アプリケーション３０が実行される処理について図１１〜図１３を用いて説明する。まず、制御アプリケーション３０は、トップ画面１００でのデバイス選択ボタン１０２への操作により、選択デバイスを受け付ける（Ｓ１００）。続いて、制御アプリケーション３０は、プレビュー画面１２０での印刷ボタン１２８、若しくは、プレビュー画面１７０での印刷ボタン１７８への操作により、基準解像度決定サブルーチンを実行する（Ｓ１０１）。
【００５１】
基準解像度決定サブルーチンでは、制御アプリケーション３０は、選択デバイスのスペック情報と、設定解像度と、選択画像種とに基づいて、基準解像度を決定する（Ｓ２００）。次に、制御アプリケーション３０は、実データ解像度がＳ２００で決定された基準解像度より低いか否かを判断する（Ｓ２０２）。そして、実データ解像度が基準解像度より低い場合（Ｓ２０２：ＹＥＳ）に、制御アプリケーション３０は、実データ解像度に合わせて基準解像度を下げる（２０４）。そして、Ｓ２０６に進む。一方、実データ解像度が基準解像度以上である場合（Ｓ２０２：ＮＯ）に、Ｓ２０４の処理がスキップされ、Ｓ２０６に進む。
【００５２】
Ｓ２０６では、制御アプリケーション３０は、データ記憶領域３２のメモリ残量が設定残量より少ないか否かを判断する（Ｓ２０６）。そして、メモリ残量が設定残量より少ない場合（Ｓ２０６：ＹＥＳ）に、制御アプリケーション３０は、メモリ残量に合わせて基準解像度を下げる（２０８）。そして、基準解像度決定サブルーチンが終了する。一方、メモリ残量が設定残量以上である場合（Ｓ２０６：ＮＯ）に、Ｓ２０８の処理がスキップされ、基準解像度決定サブルーチンが終了する。
【００５３】
基準解像度決定サブルーチンが終了すると、メインルーチンに戻り、制御アプリケーション３０は、部分解像度決定サブルーチンを実行する（Ｓ１０４）。部分解像度決定サブルーチンでは、制御アプリケーション３０は、選択画像種がファックス若しくは文書であるか否かを判断する（Ｓ３００）。そして、選択画像種がファックス若しくは文書である場合（Ｓ３００：ＹＥＳ）に、制御アプリケーション３０は、１ページ目の画像の解像度を、基準解像度より低い解像度に設定する（Ｓ３０２）。そして、Ｓ３０４に進む。一方、選択画像種がファックス若しくは文書でない場合（Ｓ３００：ＮＯ）に、Ｓ３０２の処理がスキップされ、Ｓ３０４に進む。
【００５４】
Ｓ３０４では、制御アプリケーション３０は、機械学習ＡＰＩを利用可能であるか否かを判断する（Ｓ３０４）。そして、機械学習ＡＰＩを利用不能である場合（Ｓ３０４：ＮＯ）に、部分解像度決定サブルーチンが終了する。一方、機械学習ＡＰＩを利用可能である場合（Ｓ３０４：ＹＥＳ）に、制御アプリケーション３０は、サンプル画像の画像データと、印刷対象の画像のページ毎の画像データとを、ＯＳ３１に出力する（Ｓ３０６）。そして、制御アプリケーション３０は、サンプル画像の画像データ及び、印刷対象の画像のページ毎の画像データの出力に応じて、ＯＳ３１から機械学習ＡＰＩによる判断結果を受け付ける（Ｓ３０８）。続いて、制御アプリケーション３０は、機械学習ＡＰＩの判断結果に基づいて、印刷対象の画像のページ毎の解像度を設定する（Ｓ３１０）。そして、部分解像度決定サブルーチンが終了する。
【００５５】
部分解像度決定サブルーチンが終了すると、メインルーチンに戻り、制御アプリケーション３０は、設定された解像度の入力解像度に応じた印刷用画像データを作成する（Ｓ１０４）。そして、制御アプリケーション３０は、作成した印刷用画像データ、及び、設定された解像度のうちの出力解像度での印刷指示を選択デバイスに送信する（Ｓ１０６）。これにより、本フローチャートが終了する。
【００５６】
なお、Ｓ１０１を実行するＣＰＵ１２は、決定手段の一例である。Ｓ１０２を実行するＣＰＵ１２は、変更手段の一例である。
【００５７】
＜実施形態の効果＞
上記した実施形態によれば、以下の効果を奏する。
【００５８】
携帯電話１０では、スペック情報に応じて基準解像度が決定される。これにより、画像を印刷するＭＦＰ５０，５２，５４のスペックに応じた印刷用画像データを作成することができる。さらに言えば、ＭＦＰ５０，５２，５４のスペックとして、各デバイスの印刷方式が採用されており、出力解像度が高いほど印刷時間が長くなるインクジェットプリンタ、特に、スキャン方式のインクジェットプリンタが選択デバイスとして選択されている場合に、基準解像度は低く設定される。これにより、印刷時間の短縮を図ることができる。
【００５９】
また、基準解像度は、スペック情報だけでなく、ユーザにより設定された解像度、つまり、設定解像度も考慮して決定される。これにより、ユーザの意思を反映した画像を印刷することができる。
【００６０】
また、上述したように、インクジェットプリンタは、出力解像度が高いほど印刷時間が長くなるプリンタであり、レーザプリンタは、出力解像度が高くなっても、印刷時間は然程長くならないプリンタである。一方、入力解像度の高低は、インクジェットプリンタとレーザプリンタとの印刷時間の相違に然程影響を及ぼさない。このため、基準解像度として、出力解像度と入力解像度とが決定されることで、各デバイスの印刷方式に応じた解像度に決定することができる。
【００６１】
また、実データ解像度が基準解像度より低い場合に、実データ解像度に合わせて、基準解像度が、テーブル１４０に基づいて決定された基準解像度より低い解像度に再設定される。これにより、印刷対象の画像が低解像度であっても、その画像に応じた印刷用画像データを作成することができる。
【００６２】
また、データ記憶領域３２のメモリ残量が少ない場合に、メモリ残量に合わせて、基準解像度が、テーブル１４０に基づいて決定された基準解像度より低い解像度に再設定される。これにより、少ないメモリ残量のデータ記憶領域３２であっても、画像データの展開が担保され、適切に印刷用画像データを作成することができる。
【００６３】
また、携帯電話１０では、基準解像度を基準として、印刷対象の画像のページ毎に、印刷処理が実行される際の解像度が設定される。これにより、画像の種類に応じた解像度で印刷処理を実行することが可能となる。
【００６４】
具体的には、画像の種類が文書若しくはファックスである場合に、１ページ目の原稿に印刷される画像の解像度が、基準解像度より低い解像度に設定される。これにより、低い解像度で印刷されても影響の少ない画像の解像度を低く設定することが可能となり、印刷品質を担保しつつ、印刷時間の短縮を図ることが可能となる。特に、複数ページの画像が印刷される際に、１ページ目の印刷用画像データの送信に要する時間が長くなると、その時間がボトルネックとなり、印刷時間の短縮を図り難くなる。このため、１ページ目の印刷用画像データの解像度が低く設定されることで、データ量が少なくなり、１ページ目の印刷用画像データの送信に要する時間を短くすることが可能となり、効果的に印刷時間が短縮される。
【００６５】
また、印刷対象の画像の種類が、１ページに印刷される画像毎に、機械学習ＡＰＩにより判断され、その判断結果に応じて、１ページに印刷される画像毎の解像度が設定される。これにより、画像の種類に応じた解像度で印刷処理を実行することが可能となる。特に、写真，イラスト，文書の順に、解像度が低く設定されることで、低解像度で印刷されても影響の少ない画像の解像度を低く設定することができる。これにより、印刷品質を担保しつつ、印刷時間の短縮を図ることが可能となる。
【００６６】
なお、本発明は、上記実施形態に限定されるものではなく、当業者の知識に基づいて種々の変更、改良を施した種々の態様で実施することが可能である。具体的には、例えば、上記実施形態では、プリンタの印刷方式、つまり、レーザプリンタであるかインクジェットプリンタであるかに応じて、基準解像度が決定されているが、プリンタの種々のスペックに応じて、基準解像度が決定されてもよい。具体的には、例えば、プリンタの解像度，印刷用紙の搬送速度などに応じて、基準解像度が決定されてもよい。
【００６７】
また、上記実施形態では、画像の種類が、ＯＳ３１が提供する機械学習ＡＰＩにより判断されているが、制御アプリケーション３０が、画像の種類を判断してもよい。つまり、制御アプリケーション３０が機械学習ＡＰＩの機能を有していてもよい。また、例えば、機械学習ＡＰＩが携帯電話１０と異なるデバイスにおいて提供されており、制御アプリケーション３０が、そのデバイスに画像の種類の判断を問いかけてもよい。
【００６８】
また、上記実施形態では、写真の解像度が、基準解像度に設定され、イラストの解像度が、基準解像度より低い解像度に設定され、文書の解像度が、イラストの解像度より低い解像度に設定されているが、文書の解像度が、基準解像度に設定され、イラストの解像度が、基準解像度より高い解像度に設定され、写真の解像度が、イラストの解像度より高い解像度に設定されてもよい。
【００６９】
また、上記実施形態では、ページ毎に画像の種類が判断され、ページ毎に解像度が設定されているが、１ページの画像の一部毎に画像の種類が判断され、その一部毎に解像度が設定されてもよい。具体的には、例えば、図１４に示す画像１８０において、その画像の長手方向がＭＦＰ５０，５２，５４での印刷用紙の搬送方向である場合に、その長手方向に沿って、画像１８０が所定の幅の複数の領域に分割される。そして、それら複数の領域毎に、画像の種類が判断される。この際、例えば、画像１８０の上方の領域の画像１８２が、文書と判断され、画像１８０の中央の領域の画像１８４が、写真と判断され、画像１８０の下方の領域の画像１８６が、イラストと判断された場合に、それら各領域の画像１８２，１８４，１８６毎に解像度が設定される。これにより、１ページ分の画像においても、画像の種類に応じた解像度で印刷することが可能となる。
【００７０】
また、上記実施形態では、ＣＰＵ１２によって図１１乃至図１３に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００７１】
１０：携帯電話、１２：ＣＰＵ、１６：無線通信Ｉ／Ｆ、３０：制御アプリケーション、５０：ＭＦＰ、５２：ＭＦＰ、５４：ＭＦＰ
【図１】
2020135682.tif 000003
【図２】
2020135682.tif 000004
【図３】
2020135682.tif 000005
【図４】
2020135682.tif 000006
【図５】
2020135682.tif 000007
【図６】
2020135682.tif 000008
【図７】
2020135682.tif 000009
【図８】
2020135682.tif 000010
【図９】
2020135682.tif 000011
【図１０】
2020135682.tif 000012
【図１１】
2020135682.tif 000013
【図１２】
2020135682.tif 000014
【図１３】
2020135682.tif 000015
【図１４】
2020135682.tif 000016